(57)【要約】【課題】車両の減速エネルギーをより無駄なく回収しながら、エンジン出力をより合理的にアシストする。【解決手段】エンジンアシスト制御装置は、モータジェネレータ２０と、このモータジェネレータ２０が発電した電力を蓄えるとともにエンジン出力のアシスト時にモータジェネレータに電力を供給するキャパシタ２４と、キャパシタ電圧センサ３１と、エンジン１０及びモータジェネレータ２０を制御するＥＣＵ３０と、を備える。ＥＣＵ３０は、キャパシタ２４の電力が最大値Ｖｍａｘに近い電圧値Ｖ１以上である場合には、全ての運転領域でエンジン出力をアシストする積極アシスト制御を実行し、電圧値Ｖ１未満である時には、エンジンの正味燃料消費率が最小値となるエンジントルク（運転負荷）よりも高負荷側の領域でのみモータジェネレータによりエンジン出力をアシストする最適アシスト制御を実行する。【選択図】図２
2014065399.tif 000002
【特許請求の範囲】
【請求項１】
エンジンを備える車両の前記エンジンのアシスト制御装置であって、
エンジンの出力軸にトルクを付加することでエンジン出力をアシストする機能とエンジンの出力軸から動力を得て発電する機能とを有するモータジェネレータと、
前記モータジェネレータが発電した電力を蓄えるとともに、エンジン出力のアシスト時に前記モータジェネレータに電力を供給する蓄電手段と、
前記蓄電手段による蓄電状態を検出する検出手段と、
前記検出手段により検出される蓄電状態に応じてエンジンおよびモータジェネレータを制御する制御手段と、を備え、
前記制御手段は、前記蓄電手段による蓄電量が満蓄電状態に近い第１蓄電量以上の時には、エンジンの全ての運転負荷領域においてモータジェネレータによりエンジン出力をアシストする積極アシスト制御を実行し、前記蓄電手段の蓄電量が前記第１蓄電量未満である時には、前記運転負荷領域のうち、当該エンジンの正味燃料消費率が最小値となる運転負荷よりも高負荷側の領域でのみモータジェネレータによりエンジン出力をアシストする最適アシスト制御を実行する、ことを特徴とするエンジンアシスト制御装置。
【請求項２】
請求項１に記載のエンジンアシスト制御装置において、
前記制御手段は、前記蓄電手段の蓄電量が前記第１蓄電量未満であってかつこの第１蓄電量よりも小さい第２蓄電量以上の時に前記最適アシスト制御を実行し、前記蓄電手段の蓄電量が前記第２蓄電量未満の時には、減速時を含む前記エンジンの所定の運転状態においてモータジェネレータに発電を行わせる電力消費抑制制御を実行する、ことを特徴とするエンジンアシスト制御装置。
【請求項３】
請求項１又は２に記載のエンジンアシスト制御装置において、
前記制御手段は、前記積極アシスト制御の際には、モータジェネレータへの入力電力に対する出力トルクの割合で定義されるアシスト効率が所定値よりも高くなるように、エンジンの運転状態に応じて、モータジェネレータによるエンジン出力のアシスト量を制御する、ことを特徴とするエンジンアシスト制御装置。
【請求項４】
請求項１乃至３の何れか一項に記載のエンジンアシスト制御装置において、
前記制御手段は、前記最適アシスト制御の際には、当該エンジンの正味燃料消費率が所定値以下となるように、モータジェネレータによるエンジン出力のアシスト量を制御する、ことを特徴とするエンジンアシスト制御装置。
【請求項５】
請求項２に記載のエンジンアシスト制御装置において、
前記制御手段は、前記電力消費抑制制御の際には、前記運転負荷領域のうち、当該エンジンの正味燃料消費率が最小値となる運転負荷よりも低負荷側の領域でのみ発電が行われるようにモータジェネレータを制御する、ことを特徴とするエンジンアシスト制御装置。
【請求項６】
請求項５に記載のエンジンアシスト制御装置において、
前記制御手段は、エンジンの正味燃料消費率の微分値が所定値以下となる運転領域で発電が行われるようにモータジェネレータを制御する、ことを特徴とするエンジンアシスト制御装置。
【請求項７】
エンジンの出力軸にトルクを付加することでエンジン出力をアシストする機能とエンジンの出力軸から動力を得て発電する機能とを有するモータジェネレータと、このモータジェネレータが発電した電力を蓄えるとともに、エンジン出力のアシスト時に前記モータジェネレータに電力を供給する蓄電手段と、を備えた車両のエンジンアシスト制御方法であって、
前記蓄電手段の蓄電状態を検出する工程と、
検出された蓄電状態に基づき、その蓄電量が前記蓄電手段の満蓄電状態に近い第１蓄電量以上の時には、エンジンの全ての運転負荷領域においてモータジェネレータによりエンジン出力をアシストする積極アシスト制御を実行し、前記蓄電手段の蓄電量が前記第１蓄電量未満である時には、前記運転負荷領域のうち、当該エンジンの正味燃料消費率が最小値となる運転負荷よりも高負荷側の領域でのみモータジェネレータによりエンジン出力をアシストする最適アシスト制御を実行する工程と、を含むことを特徴とするエンジンアシスト制御方法。
【発明の詳細な説明】
【技術分野】
【０００１】
本発明は、エンジンの出力軸にアシストトルクを付加する機能とエンジンの出力軸から動力を得て発電する機能との両方を兼ね備えるモータジェネレータを備えた車両のエンジンアシスト制御装置およびエンジンアシスト制御方法に関するものである。
【背景技術】
【０００２】
従来から、エンジンの出力軸にモータジェネレータを連結し、車両減速時に、モータジェネレータを発電機として機能させることで車両の減速エネルギーを電気エネルギーに変換して蓄電する一方、車両加速時などに、蓄電電力を用いてモータジェネレータを電動機として機能させることでエンジン出力をアシストするハイブリット車両が知られている。
【０００３】
例えば特許文献１には、この種の車両のエンジンアシスト制御装置として、車両が減速すると予測されたときに上記モータジェネレータによるアシスト量を増大させるものが開示されている。具体的には、このエンジンアシスト制御装置は、車両の運転中に周囲の交通情報を収集する手段（カーナビゲーション装置、あるいはレーダやモニタカメラ等）を備えており、当該手段により収集された交通情報に基づき車両が減速状態になると予測されたときに、その減速状態に応じたモータジェネレータの発電量を算出するとともに、その算出した発電量が多くなるほど、上記モータジェネレータによるアシスト量の割合を増大させるものである。このような特許文献１の技術によれば、減速時に予測される発電量が多いほどモータジェネレータの仕事量が増やされるので、車両の減速エネルギーがより無駄なく回収されるという利点が得られる。
【先行技術文献】
【特許文献】
【０００４】
【特許文献１】特許第３０９９６９４号公報
【発明の概要】
【発明が解決しようとする課題】
【０００５】
しかし、車両減速時の発電量を予測して一律にアシスト量の割合を増大させる上記特許文献１のものでは、エネルギーの効率的な利用を考えた場合に未だ改善の余地がある。
【０００６】
すなわち、蓄電された電力が少ない状態でモータジェネレータによりエンジン出力がアシストされると、これに伴う電力の消費により電力不足が発生して電気負荷に影響が出るおそれがある。この場合には、電力不足を補うために、減速時以外にもモータジェネレータによる発電が必要となり、当該発電が無条件に行われると燃費の悪化を誘発するおそれがある。また、エンジン出力のアシストにより削減される燃料消費量は、エンジンの運転状態によって異なるものであるが、上記特許文献１のものは、この点についての配慮がなく、燃費改善の観点からすると、モータジェネレータによるエンジン出力のアシストが効率的に行われているとは言えない。さらに、モータジェネレータによるエンジン出力のアシスト効率（入力電力に対する出力トルクの割合）も、エンジンの運転状態やアシスト量により異なるが、上記特許文献１のものは、このアシスト効率についての配慮も無く、蓄電された電力が効率良く利用されているとは言えない。
【０００７】
本発明は、上記の事情に鑑みて成されたものであり、モータジェネレータを備えた車両において、車両の減速エネルギーをより無駄なく回収しながら、エンジン出力をより合理的にアシストすることが可能な技術を提供することを目的とする。
【課題を解決するための手段】
【０００８】
上記の課題を解決するために、本発明の一の局面にかかるエンジンアシスト制御装置は、エンジンの出力軸にトルクを付加することでエンジン出力をアシストする機能とエンジンの出力軸から動力を得て発電する機能とを有するモータジェネレータと、前記モータジェネレータが発電した電力を蓄えるとともに、エンジン出力のアシスト時に前記モータジェネレータに電力を供給する蓄電手段と、前記蓄電手段による蓄電状態を検出する検出手段と、前記検出手段により検出される蓄電状態に応じてエンジンおよびモータジェネレータを制御する制御手段と、を備え、前記制御手段は、前記蓄電手段による蓄電量が満蓄電状態に近い第１蓄電量以上の時には、エンジンの全ての運転負荷領域においてモータジェネレータによりエンジン出力をアシストする積極アシスト制御を実行し、前記蓄電手段の蓄電量が前記第１蓄電量未満である時には、前記運転負荷領域のうち、当該エンジンの正味燃料消費率が最小値となる運転負荷よりも高負荷側の領域でのみモータジェネレータによりエンジン出力をアシストする最適アシスト制御を実行する、ことに特徴を有するものである。
【０００９】
このエンジンアシスト制御装置によれば、蓄電手段の蓄電量が満蓄電状態に近い第１蓄電量以上である時には、全ての運転負荷領域でエンジン出力がアシストされる。つまり、エンジン出力が積極的にアシストされる。そのため、蓄電された電力を有効活用して燃料消費量の削減を図ることが可能となる。また、蓄電手段において満蓄電状態が長期的に続くことが抑制されるため、車両の減速エネルギーをより無駄なく（より多く）回収することが可能となる。一方、蓄電手段の蓄電量が第１蓄電量未満である時には、運転負荷領域のうち、エンジンの正味燃料消費率が最小値となる運転負荷よりも高負荷側の領域でのみエンジン出力がアシストされる。これによれば、実施の形態の説明中で詳細に説明する通り、少ないアシスト量で効果的に燃料消費量を削減することが可能であり、従って、蓄電手段に残された電力を用いて効果的に燃料消費量の削減を図ることが可能となる。
【００１０】
上記エンジンアシスト制御装置において、前記制御手段は、前記蓄電手段の蓄電量が前記第１蓄電量未満であってかつこの第１蓄電量よりも小さい第２蓄電量以上の時に前記最適アシスト制御を実行し、前記蓄電手段の蓄電量が前記第２蓄電量未満の時には、減速時を含む前記エンジンの所定の運転状態においてモータジェネレータに発電を行わせる電力消費抑制制御を実行するものであるのが好適である。
【００１１】
このエンジンアシスト制御装置によれば、蓄電量が少ない状態でモータジェネレータによるエンジン出力のアシストが行われることで、蓄電手段が電力不足に陥るという不都合を未然に回避することが可能となる。
【００１２】
なお、上記エンジンアシスト制御装置において、前記制御手段は、前記積極アシスト制御の際には、モータジェネレータへの入力電力に対する出力トルクの割合で定義されるアシスト効率が所定値よりも高くなるように、エンジンの運転状態に応じて、モータジェネレータによるエンジン出力のアシスト量を制御するものであるのが好適である。
【００１３】
このエンジンアシスト制御装置によれば、モータジェネレータにとって効率が良いアシスト量でエンジン出力をアシストするので、蓄電手段に蓄えられた電力でエンジン出力をより効率良くアシストすることが可能となる。
【００１４】
また、上記エンジンアシスト制御装置において、前記制御手段は、前記最適アシスト制御の際には、当該エンジンの正味燃料消費率が所定値以下となるように、モータジェネレータによるエンジン出力のアシスト量を制御するものであるのが好適である。
【００１５】
この制御装置によれば、モータジェネレータによりエンジン出力をアシストすることにより得られる燃料消費量の削減効果をより一層向上させることが可能となる。
【００１６】
さらに、上記エンジンアシスト制御装置において、前記制御手段は、前記電力消費抑制制御の際には、前記運転負荷領域のうち、当該エンジンの正味燃料消費率が最小値となる運転負荷よりも低負荷側の領域でのみ発電が行われるようにモータジェネレータを制御するものであるのが好適である。
【００１７】
すなわち、電力消費抑制制御では、車両の減速時以外の運転状態のときにもモータジェネレータによる発電が行われる場合がある。この場合、モータジェネレータによる抵抗トルクが加わる分、エンジンの燃料消費量が増大することになるが、上記のように、エンジンの正味燃料消費率が最小値となる運転負荷よりも低負荷側の領域でのみ発電が行われることで、この増大分の燃料消費量を少なく抑えることが可能となる。
【００１８】
この場合、制御手段は、エンジンの正味燃料消費率の微分値が所定値以下となる運転領域で発電が行われるようにモータジェネレータを制御するものであるのが好適である。
【００１９】
この構成によれば、モータジェネレータの発電に伴う燃料消費量を可及的に少なく抑えることが可能となる。
【００２０】
一方、本発明の一の局面にかかる車両の制御方法は、エンジンの出力軸にトルクを付加することでエンジン出力をアシストする機能とエンジンの出力軸から動力を得て発電する機能とを有するモータジェネレータと、このモータジェネレータが発電した電力を蓄えるとともに、エンジン出力のアシスト時に前記モータジェネレータに電力を供給する蓄電手段と、を備えた車両の制御方法であって、前記蓄電手段の蓄電状態を検出する工程と、検出された蓄電状態に基づき、その蓄電量が前記蓄電手段の満蓄電状態に近い第１蓄電量以上の時には、エンジンの全ての運転負荷領域においてモータジェネレータによりエンジン出力をアシストする積極アシスト制御を実行し、前記蓄電手段の蓄電量が前記第１蓄電量未満である時には、前記運転負荷領域のうち、当該エンジンの正味燃料消費率が最小値となる運転負荷よりも高負荷側の領域でのみモータジェネレータによりエンジン出力をアシストする最適アシスト制御を実行する工程と、を含むものである。
【００２１】
この制御方法によれば、上記一の局面にかかるエンジンアシスト制御装置と同様の作用効果を享受することが可能となる。
【発明の効果】
【００２２】
以上説明したように、本発明のエンジンアシスト制御装置および制御方法によれば、蓄電手段による蓄電状態に応じてその電力を有効に活用しながらエンジン出力をアシストするため、車両の減速エネルギーをより無駄なく回収しながら、エンジン出力を合理的にアシストすることができる。
【図面の簡単な説明】
【００２３】
【図１】本発明の一実施形態にかかるエンジンアシスト制御装置が搭載された車両を示す概略構成図である。
【図２】エンジンアシスト制御動作の一例を示すフローチャートである。
【図３】積極アシスト制御の制御動作の一例を示すフローチャートである。
【図４】最適アシスト制御の制御動作の一例を示すフローチャートである。
【図５】電力消費抑制制御の制御動作の一例を示すフローチャートである。
【図６】エンジン回転速度と最適なアシストトルクとの関係示す図（グラフ）である。
【図７】（ａ）〜（ｃ）は、正味燃料消費率（ＢＳＦＣ）、燃料消費量および正味燃料消費率の微分値とエンジントルクとの関係を示す図（グラフ）である。
【図８】（ａ）〜（ｆ）は、車両が一定時間（距離）走行した時の、車速、エンジン回転速度、発電量、キャパシタ電力、アシストトルクおよびモータジェネレータの発電仕事量の変化をそれぞれ示した図（グラフ）である。
【発明を実施するための形態】
【００２４】
以下、添付図面を参照しながら本発明の好ましい実施の一形態について詳述する。
【００２５】
図１は、本発明のエンジンアシスト制御装置が搭載された車両の概略構成を示している。同図に示す車両は、走行用の動力源であるエンジン１０を備える。エンジン１０は、例えば４気筒のガソリンエンジンである。エンジン１０の出力軸１２（クランクシャフト）は、動力伝達系、具体的には変速機／デフ（ディファレンシャルギア）１４およびドライブシャフト１６を介して車輪１８に連結されており、車両が加速しているときには、エンジン１０の出力トルクがこれらの動力伝達系１４，１６を経由して車輪１８に伝達され、車輪１８が回転駆動される。一方、車両が減速しているときには、エンジン１０自身はトルクを出力しないものの、惰性で回転する車輪１８およびドライブシャフト１６によりエンジン１０の出力軸１２が回転する。
【００２６】
前記エンジン１０には、モータジェネレータ２０が連結されている。モータジェネレータ２０は、エンジン１０の出力軸１２にトルクを付加することでエンジン出力をアシストする機能と、エンジン１０の出力軸１２から動力を得て発電する機能とを有する。具体的には、モータジェネレータ２０は、エンジン１０の出力軸１２と連動して回転するロータと、ロータの周囲に配置されるステータとを有しており（いずれも図示省略）、前記ロータにフィールドコイルが、前記ステータにステータコイルが各々巻装されている。そして、モータジェネレータ２０による発電時には、前記フィールドコイルに電圧が印加され、それによって生成される磁界中をロータが回転することにより誘導電流が発生する、つまり電力が生成される。他方、エンジン出力のアシスト時には、前記フィールドコイル及びステータコイルに電圧が印加され、これにより当該電圧に応じた回転力が前記ロータに生じる、つまりアシストトルクが生成される。そして、モータジェネレータ２０によりアシストされた最終的な出力トルクが変速機／デフ１４に与えられる。なお、モータジェネレータ２０の発電電力（電圧）および発生トルク（アシストトルク）は、上記各コイルへの印加電圧の増減によって調節可能である。
【００２７】
モータジェネレータ２０には、インバータ２２を介してキャパシタ２４（本発明の蓄電手段に相当する）が接続さており、このキャパシタ２４に、さらにＤＣ／ＤＣコンバータ２６を介してバッテリ２８が接続されている。
【００２８】
前記バッテリ２８は、車両用バッテリとして一般的な鉛電池等からなる二次電池である。このバッテリ２８は、化学反応によって電気エネルギーを蓄えるものであり、急速な充放電には不向きであるが、比較的大量の電力を蓄えることができる（つまり充電容量が大きい）。一方、前記キャパシタ２４は、当例では最大２８Ｖまで充電可能な大容量の電気二重層キャパシタ（ＥＤＬＣ）である。このようなキャパシタ２４は、上記バッテリ２８のような二次電池と異なり、電解質イオンの物理的な吸着によって電気を蓄えるものであり、比較的急速な充放電が可能で、内部抵抗も少ない。
【００２９】
前記インバータ２２は、モータジェネレータ２０で発電された交流電力を直流電力に変換して前記キャパシタ２４に供給する一方で、モータジェネレータ２０によるエンジン出力のアシスト時には、キャパシタ２４に蓄えられた直流電力を交流電力に変換して当該モータジェネレータ２０に供給するものである。インバータ２２には、インバータ制御部２３が接続されている。このインバータ制御部２３は、電圧制御信号をインバータ２２に与えることにより、モータジェネレータ２０の磁界を制御し、モータジェネレータ２０を発電機として機能させる状態と電動機として機能させる状態とに切り換える。また、上記モータジェネレータ２０の各コイルへの印加電圧を増減制御し、モータジェネレータ２０の発電電力（電圧）や発生トルク（アシストトルク）の大きさを制御する。
【００３０】
前記ＤＣ／ＤＣコンバータ２６は、キャパシタ２４に充電された最大２８Ｖの電力を、必要に応じて１２Ｖまで降圧した後に、前記バッテリ２８または車両の電気負荷に供給するとともに、必要に応じてバッテリ２８の電力を昇圧してキャパシタ２４に供給するものである。
【００３１】
前記エンジン１０を含むパワートレイン系の部品は、同図に示すＥＣＵ（Ｅｌｅｃｔｒｏｎｉｃ  Ｃｏｎｔｒｏｌ  Ｕｎｉｔ）３０により統括的に制御される。ＥＣＵ３０は、周知のとおり、ＣＰＵ、ＲＯＭ、ＲＡＭ等から構成されるマイクロプロセッサであり、本発明にかかる制御手段に相当するものである。
【００３２】
上記ＥＣＵ３０には、車両に設けられた複数のセンサから種々の情報が入力されている。本発明の説明に必要な範囲で説明すると、車両には、図示の通り、キャパシタ２４の電圧（端子間電圧）を検出するキャパシタ電圧センサ３１（本発明の検出手段に相当する）と、図外のアクセルペダルの踏込み量に応じたアクセル開度を検出するアクセル開度センサ３２と、エンジン１０の出力軸１２の回転速度を検出するエンジン速度センサ３３が設けられており、これら各センサ３１〜３３からの信号がＥＣＵ３０に入力されている。
【００３３】
また、前記ＥＣＵ３０は、エンジン１０に備わる各種制御対象機器、例えば燃料を噴射するインジェクタ３４、点火プラグ３６、スロットル弁３８、インバータ制御部２３およびＤＣ／ＤＣコンバータ２６（接続線は省略）と電気的に接続されており、これらの機器に駆動用の制御信号を出力する。すなわち、エンジン１０は、上記各センサ３１〜３３からの入力信号に基づいて、車両の走行状態に応じた適切なトルクが得られるようにエンジン１０の燃焼を制御したり、車両の走行状態やキャパシタ２４の充電状態（蓄電状態）に応じてモータジェネレータ２０の作動状態を制御したり、当該制御に伴う各種演算や判別等の処理を行うようになっている。なお、当実施形態では、上記インバータ２２、インバータ制御部２３及びＥＣＵ３０が本発明の制御手段に相当する。
【００３４】
次に、ＥＣＵ３０によるエンジン１０及びモータジェネレータ２０の制御、つまりモータジェネレータ２０による発電とエンジン出力のアシストとがどのように制御されるかをエンジン１０の制御と共に、図２〜図５のフローチャートに従って具体的に説明する。
【００３５】
まず図２に基づき、同図のフローがスタートすると、ＥＣＵ３０は、各センサ３１〜３３からの信号を受け入れ（ステップＳ１）、現在のキャパシタ２４の電圧値（以下、検出電圧値という）が予め設定されている電圧値Ｖ１以上か否かを判断する（ステップＳ３）。ここで、検出電圧値がＶ１以上である場合（ステップＳ３でＹＥＳ）には、ＥＣＵ３０は、エンジン１０の全ての運転領域において、モータジェネレータ２０によりエンジン出力を積極的にアシストする、積極アシスト制御を実行する（ステップＳ５）。
【００３６】
一方、検出電圧値がＶ１以上でない場合（ステップＳ３でＮＯ）には、ＥＣＵ３０は、検出電圧値が予め設定されている電圧値Ｖ２（Ｖ２＜Ｖ１）以上か否かを判断する（ステップＳ７）。ここで、検出電圧値がＶ２以上である場合（ステップＳ７でＹＥＳ）には、ＥＣＵ３０は、エンジン１０が特定の運転領域にある場合にのみ、モータジェネレータ２０によりエンジン出力をアシストする、最適アシスト制御を実行する（ステップＳ９）。
【００３７】
さらに、検出電圧値がＶ２以上でない場合（ステップＳ７でＮＯ）、つまり検出電圧値がＶ２未満である場合には、ＥＣＵ３０は、モータジェネレータ２０によるエンジン出力のアシストを中止し、モータジェネレータ２０に発電を行わせながらキャパシタ２４に蓄積された電力を温存（電力の消費を抑制）する、電力消費抑制を実行する（ステップＳ１１）。
【００３８】
すなわち、ＥＣＵ３０は、キャパシタ２４に蓄えられている電力（電圧）に応じて、積極アシスト制御、最適アシスト制御および電力消費抑制の何れかを選択的に実行する。上記の通りキャパシタ２４は最大２８Ｖ（最大値Ｖｍａｘ：最大蓄電量）まで充電が可能であり、当例では、図８（ｄ）に示すように、電圧値Ｖ１は、最大値Ｖｍａｘに比較的近い２４Ｖに設定され、電圧値Ｖ２は、最小値Ｖｍｉｎ（＝１４Ｖ：最小蓄電量）に比較的近い１８Ｖに設定されている。なお、最小値Ｖｍｉｎとは、車両の基本制御を最低限維持するために必要な電圧値であって、この電圧値を下回ると車両の基本制御に影響がでるおそれのある電圧値である。
【００３９】
以下、ＥＣＵ３０による、積極アシスト制御、最適アシスト制御および電力消費抑制制御の各処理について詳述する説明する。
【００４０】
なお、基本的な制御として、ＥＣＵ３０は、車両の減速時にモータジェネレータ２０に発電を行わせ、発電された電力（回生電力）をキャパシタ２４に充電する。従って、それ以外の運転状態では、ＥＣＵ３０は、燃料消費量を抑制するために、基本的には（電力消費抑制制御の場合を除き）モータジェネレータ２０による発電は行わない。つまり、減速時以外にモータジェネレータ２０で発電を行うと、その発電により出力軸１２に抵抗トルク（エンジン１０の回転を阻害する負のトルク）が加わり、この抵抗トルクを補うべくエンジントルクを上乗せする必要が生じる分、燃料消費量が増えるからである。
【００４１】
＜ 積極アシスト制御 ＞
積極アシスト制御は、上記の通り、エンジン１０の全ての運転領域で、モータジェネレータ２０によりエンジン出力を積極的にアシストする制御である。具体的に、エンジン１０の全ての運転領域において、車両の加速時にモータジェネレータ２０によりエンジン出力をアシストする。
【００４２】
図３は、積極アシスト制御処理を示すフローチャートである。同図に示すフローチャートがスタートすると、ＥＣＵ３０は、図２のステップＳ１の処理で取得したアクセル開度に基づき、最終的な出力トルクである目標トルクを求め（ステップＳ２１）、さらにモータジェネレータ２０の駆動トルク（アシストトルク）を決定する（ステップＳ２３）。この際、ＥＣＵ３０は、前記ステップＳ１の処理で取得したエンジン回転速度に基づき、アシスト効率が最良なトルクを決定する。すなわち、モータジェネレータ２０のアシスト効率（入力電力に対する出力トルクの割合）は、トルクの大きさやエンジン１０の運転状態により異なり、アシスト効率、アシストルク及びエンジン回転速度の間には、例えば図６に示すような関係がある。つまり、アシスト効率が最良となるアシストトルクはエンジン１０の回転速度によって異なる。ＥＣＵ３０には、このような、アシスト効率が最良となるアシストトルクとエンジン１０の回転速度との関係を定めたマップデータが予め記憶されており、ステップＳ２３では、当該データとエンジン回転速度とに基づき、アシスト効率が最良となるアシストトルクが決定される。例えば、エンジン回転速度が１０００ｒｐｍである場合、図６の例では、ＥＣＵ３０は、アシスト効率が最良（約７０％）となる８Ｎｍをアシストトルクに決定する。
【００４３】
次に、ＥＣＵ３０は、ステップＳ２１で求めた目標トルクが、ステップＳ２３で求めたアシストトルクよりも大きいか否かを判断する（ステップＳ２５）。ここで大きいと判断した場合には、ＥＣＵ３０は、ステップＳ２１で求めた目標トルクからステップＳ２３で求めたアシストトルクを減算することにより、エンジン１０が負担するトルク（目標エンジントルク）を求め（ステップＳ２７）、この目標エンジントルクに基づきエンジン１０を駆動制御する。具体的には、この目標エンジントルクとエンジン回転速度とに基づき、スロットル開度、燃料噴射量および点火時期（ＩＧ）を算出し、当該算出結果に基づきスロットル弁３８、インジェクタ３４および点火プラグ３６を制御する（ステップＳ２９、Ｓ３１）。また、このステップＳ３１の処理と並行して、ＥＣＵ３０はステップＳ２１で求めたアシストトルクに基づきモータジェネレータ２０を駆動制御する（ステップＳ３３）。具体的には、前記アシストトルクに基づき、モータジェネレータ２０（各コイル）に与える電圧値等を算出し、当該算出結果に基づきインバータ制御部２３およびインバータ２２を介してモータジェネレータ２０を制御する。つまり、ＥＣＵ３０は、ステップＳ２７で求めた目標エンジントルクが発生するようにエンジン１０を制御するとともに、ステップＳ２３で求めたアシストトルクが発生するようにモータジェネレータ２０を制御するする。
【００４４】
一方、ステップＳ２５の処理でＮＯと判断した場合、すなわち、ステップＳ２１で求めた目標トルクが、ステップＳ２３で求めたアシストトルク以下であると判断した場合には、ＥＣＵ３０は、目標エンジントルクとしてステップＳ２１で求めた目標トルクを設定することで（ステップＳ３５）、モータジェネレータ２０によるアシストを受けることなく、エンジン１０を駆動制御する。具体的には、ステップＳ３５で設定した目標エンジントルクとエンジン回転速度とに基づき、スロットル開度、燃料噴射量および点火時期（ＩＧ）を算出し、当該算出結果に基づきスロットル弁３８、インジェクタ３４および点火プラグ３６を制御する（ステップＳ３７、Ｓ３７）。これは、当例ではモータジェネレータ２０単独で車両を駆動することを想定しておらず、従って、ステップＳ２１で求めた目標トルクが、ステップＳ２３で求めたアシストトルク以下である場合には、一律にエンジン１０のみで車両を駆動するようにしている。
【００４５】
＜ 最適アシスト制御 ＞
積極アシスト制御が、エンジン１０の全ての運転領域において、車両の加速時にエンジン出力をモータジェネレータ２０でアシストするのに対して、最適アシスト制御は、エンジン１０が特定の運転領域にある場合にのみ、車両の加速時にエンジン出力をモータジェネレータ２０によりアシストする制御である。
【００４６】
図４は、最適アシスト制御処理を示すフローチャートである。同図に示すフローチャートがスタートすると、ＥＣＵ３０は、図２のステップＳ１の処理で取得したアクセル開度に基づき、最終的な出力トルクである目標トルクを求め（ステップＳ４１）、さらにＥＣＵ３０に予め記憶されているマップデータに基づき、この目標トルクが、当該エンジン１０のＢＳＦＣ（正味燃料消費率／Ｂｒａｋｅ  Ｓｐｅｃｉｆｉｃ  Ｆｕｅｌ  Ｃｏｎｓｕｍｐｔｉｏｎ）の最小値トルク（ＢＳＦＣが最小値になるときのエンジントルク）よりも大きいか否かを判断する（ステップＳ４３）。ここで、大きいと判断した場合には、ＥＣＵ３０は、エンジン１０のＢＳＦＣが最小値となるようにモータジェネレータ２０のアシストトルク（駆動トルク）を決定する（ステップＳ４５）。具体的には、ステップＳ４１で求めた目標トルクからＢＳＦＣの最小値トルクを減算した値をアシストトルクとする。
【００４７】
すなわち、エンジン１０のＢＳＦＣとエンジントルクとの間には、例えば図７（ａ）に示すように、特定トルク（当例では１００Ｎｍ）でＢＳＦＣが最小値となり、その前後でＢＳＦＣが増大する傾向がある。これは、エンジン１０の運転領域のうち低トルク側では、ポンピングロスや機械抵抗ロス等のロストルクにより燃料消費量が増え、また、高トルク側では、高Ａ／Ｆにより燃料消費量が増える傾向にあるためである。そして、この図７（ａ）に示す関係を、燃料消費量とエンジントルクとの関係に書き替えたものが図７（ｂ）であり、この図に示すように、燃料消費量を示す曲線の勾配は、ＢＳＦＣの最小値トルク（１００Ｎｍ）より高トルク側で急、換言すれば、最小値トルクより高トルク側の方が単位トルク当たりの燃料消費量が多い。これは、同じトルクをアシストするのであれば、ＢＳＦＣの最小値トルクより高トルク側でエンジン出力をアシストする方が効率が良いことを意味する。要するに、エンジン１０の燃料消費量をより削減することができる。
【００４８】
ステップＳ４５の処理では、より効果的な燃料消費量の削減を狙って、ステップＳ４１で求めた目標トルクのうち、ＢＳＦＣの最小値トルクを超過するトルク分をモータジェネレータ２０に負担させるようにアシストトルクを決定する。例えば、目標トルクが１２０Ｎｍであれば、図７（ａ）、（ｂ）の例の場合、ＥＣＵ３０は、ＢＳＦＣの最小値トルク（１００Ｎｍ）を超過する２０Ｎｍをアシストトルクに決定する。これにより、最も効率の良いトルクでエンジン１０が駆動される一方で、モータジェネレータ２０によるエンジン出力のアシストにより燃料消費量も効果的に削減される。
【００４９】
モータジェネレータ２０のアシストトルクが決定すると、ＥＣＵ３０は、ＢＳＦＣの最小値トルクを目標エンジントルクに設定し（ステップＳ４７）、この目標エンジントルクに基づきエンジン１０を駆動制御する（ステップＳ５１）。具体的には、前記目標エンジントルクと、図２のステップＳ１で取得したエンジン回転速度とに基づき、スロットル開度、燃料噴射量および点火時期（ＩＧ）を算出し、当該算出結果に基づきスロットル弁３８、インジェクタ３４および点火プラグ３６を制御する。また、このステップＳ５１の処理と並行して、ＥＣＵ３０は、ステップＳ４５で求めたアシストトルクに基づきモータジェネレータ２０を駆動制御する（ステップＳ５３）。具体的には、前記アシストトルクに基づき、モータジェネレータ２０（各コイル）に与える電圧値等を算出し、当該算出結果に基づきインバータ制御部２３およびインバータ２２を介してモータジェネレータ２０を制御する。つまり、ＥＣＵ３０は、ステップＳ４７で設定した目標エンジントルクを発生するようにエンジン１０を制御するとともに、ステップＳ４５で求めたアシストトルクを発生するようにモータジェネレータ２０を制御する。
【００５０】
一方、ステップＳ４３の処理でＮＯと判断した場合、すなわち、ステップＳ４１で求めた目標トルクが、ＢＳＦＣの最小値トルク以下であると判断した場合には、ＥＣＵ３０は、目標エンジントルクとしてステップＳ４１で求めた目標トルクを設定することで（ステップＳ５５）、モータジェネレータ２０によりエンジン出力をアシストすることなく、エンジン１０を駆動制御する。具体的には、ステップＳ４７で設定した目標エンジントルクとエンジン回転速度とに基づき、スロットル開度、燃料噴射量および点火時期（ＩＧ）を算出し、当該算出結果に基づきスロットル弁３８、インジェクタ３４および点火プラグ３６を制御する（ステップＳ５７、Ｓ５９）。
【００５１】
なお、目標トルクがＢＳＦＣの最小値トルク以下である場合にモータジェネレータ２０によるエンジン出力のアシストを行わない理由は、上記の通り、ＢＳＦＣの最小値トルク以下の運転領域では単位トルク当たりの燃料消費量が少なく、エンジン出力をアシストすることによる燃費改善効果、つまりキャパシタ２４の電力消費量に対して燃料消費量の削減効果が高いと言えないため、キャパシタ２４の電力を温存するようにしたものである。
【００５２】
＜ 電力消費抑制制御 ＞
電力消費抑制制御は、上記の通り、モータジェネレータ２０によるエンジン出力のアシストを中止し、車両の減速時に加え、それ以外の走行状態でもモータジェネレータ２０による発電を行わせながら、キャパシタ２４に蓄積された電力を温存（電力の消費を抑制）する制御である。
【００５３】
図５は、電力消費抑制制御処理を示すフローチャートである。同図に示すフローチャートがスタートすると、ＥＣＵ３０は、図２のステップＳ１の処理で取得したアクセル開度に基づき、最終的な出力トルクである目標トルクを求め（ステップＳ６１）、さらにＥＣＵ３０に予め記憶されているマップデータに基づき、この目標トルクに対応するＢＳＦＣ微分値（ＢＳＦＣのエンジントルクによる微分値）が、予め定められた比較値Ｂｄ以下か否かを判断し（ステップＳ６３）、ここで比較値Ｂｄ以下であると判断した場合には、ＥＣＵ３０は、モータジェネレータ２０による発電量を求める（ステップＳ６５）。図７（ｃ）は、ＢＳＦＣ微分値とエンジントルクとの関係を示したものであるが、これは、ＢＳＦＣ微分値の値が小さいほど、単位トルク当たりの燃料消費量が少ないことを意味する。つまり、この電力消費抑制制御では、車両の減速時以外にもモータジェネレータ２０の発電を行うが、この場合には、モータジェネレータ２０の発電に伴う抵抗トルクがエンジン１０の出力軸１２に加わるため、当該抵抗トルクが加わることによるエンジン１０の燃料消費量を最小限に抑えるために、ＢＳＦＣ微分値の値が極小さい負荷領域（トルク域）でモータジェネレータ２０に発電を行わせている。当例では、上記比較値Ｂｄは−４［（ｇ／ｋＷｈ）／Ｎｍ］であり、ステップＳ６１で設定された目標トルクに対応するＢＳＦＣ微分値がこれ以下の場合に、ＥＣＵ３０は発電量を求める。
【００５４】
なお、ＥＣＵ３０には、ＢＳＦＣ微分値が大きくなるほど発電量が小さくなるように、予めＢＳＦＣ微分値と発電量との関係を設定したマップデータが記憶されており、ステップＳ６３の処理では、ＥＣＵ３０は、このデータに基づきモータジェネレータ２０の発電量を決定する。
【００５５】
モータジェネレータ２０の発電量が決定すると、ＥＣＵ３０は、当該発電量に対応する上記抵抗トルクを演算するとともに、この抵抗トルクをステップＳ６１で求めた目標トルクに加算し、その値をエンジン１０の目標エンジントルクとして設定し（ステップＳ６７）、エンジン１０を駆動制御する。具体的には、この目標エンジントルクと、図２のステップＳ１で取得したエンジン回転速度とに基づき、スロットル開度、燃料噴射量および点火時期（ＩＧ）を算出し、当該算出結果に基づきスロットル弁３８、インジェクタ３４および点火プラグ３６を制御する（ステップＳ６９、Ｓ７１）。また、このステップＳ７１の処理と並行して、ＥＣＵ３０は、ステップＳ６５で求めた発電量に基づきモータジェネレータ２０を制御する。具体的には、前記発電量に基づき、モータジェネレータ２０（フィールドコイル）に与える電圧値等を算出し、当該算出結果に基づきインバータ制御部２３およびインバータ２２を介してモータジェネレータ２０を制御する。つまり、ＥＣＵ３０は、ステップＳ６５で求めた発電量の電力が発生するようにモータジェネレータ２０を制御する。なお、モータジェネレータ２０で発生した電力（交流電力）は、上述の通りインバータ２２により直流電力に変換されてキャパシタ２４に供給、蓄積される。
【００５６】
以上説明したように、上記車両では、ＥＣＵ３０が、キャパシタ２４の充電状態（電力の大きさ）に応じて積極アシスト制御、最適アシスト制御および電力消費抑制の何れかの制御を選択的に実行するため、減速エネルギーをより無駄なく回収しながら、モータジェネレータ２０によりエンジン出力を合理的にアシストすることができる。
【００５７】
すなわち、キャパシタ２４の電力が最大値Ｖｍａｘ（＝２８Ｖ）に近い電圧値Ｖ１（＝２４Ｖ）以上である場合には、積極アシスト制御が実行される。この場合には、エンジン１０の全ての運転領域において、車両の加速時に積極的にモータジェネレータ２０によるエンジン出力のアシストが行われる。そのため、キャパシタ２４に蓄えられた電力を有効に活用しつつエンジン１０の燃料消費量を削減することができる。特にこの場合には、ＥＣＵ３０により、モータジェネレータ２０にとってアシスト効率（入力電力に対する出力トルクの割合）が最適なトルクの値が求められてエンジン出力がアシストされる。従って、キャパシタ２４に蓄えられた電力を効率的に用いてエンジン出力をアシストすること、つまり、少ない電力で、エンジン１０の燃料消費量を効率良く削減することができる。
【００５８】
また、上記のように、キャパシタ２４に蓄えられた電力が積極的に使用されることで、キャパシタ２４の満充電状態が長期的に続くことが抑制される。従って、車両の減速エネルギーをより無駄なく（より多く）回収することが可能となる。
【００５９】
次に、キャパシタ２４の電力が最小値Ｖｍｉｎ（＝１４Ｖ）に比較的近い電圧値Ｖ２（＝１８Ｖ）以上であってかつ電圧値Ｖ１（＝２４Ｖ）未満である場合には、最適アシスト制御が実行される。この場合には、エンジン１０のＢＳＦＣの最小値トルクを超える負荷領域でのみエンジン出力がアシストされる。そのため、キャパシタ２４の電力を温存しつつ残り少ない電力を有効に活用して効率的に燃料消費量を削減することができる。すなわち、上記の通り、同じアシストトルクであっても、ＢＳＦＣの最小値トルクより高トルク側でエンジン出力をアシストする方が、低トルク側でエンジン出力をアシストするよりも大幅な燃費改善が見込まれる。従って、ＢＳＦＣの最小値トルクを超える負荷領域でのみエンジン出力がアシストされることで、残り少ないキャパシタ２４の電力を有効に用いてエンジン１０の燃料消費量を効果的に削減することができる。
【００６０】
次に、キャパシタ２４の電力が最小値Ｖｍｉｎ（＝１４Ｖ）以上であってかつ電圧値Ｖ２（＝１８Ｖ）未満である場合には、電力消費抑制制御が実行される。この場合には、モータジェネレータ２０によるエンジン出力のアシストが中止される一方で、車両の減速時に加え、それ以外の走行状態でもモータジェネレータ２０の発電が行われる。これにより電力が温存（電力の消費が抑制）される。そのため、キャパシタ２４の電力が最小値Ｖｍｉｎに近い状態でエンジン出力のアシストが行われ、その結果、キャパシタ２４の電力が最小値Ｖｍｉｎ未満に落ち込んで電力不足が発生する、といった不都合を未然に回避することができる。なお、車両の減速時以外のときにモータジェネレータ２０により発電が行われると、その抵抗トルク分、エンジン１０の燃料消費量が増えることとなるが、当実施形態では、上記の通り、目標トルクに対応するＢＳＦＣ微分値が一定値（比較値Ｂｄ）以下の運転領域、つまり上記抵抗トルクに対応するエンジン１０の燃料消費量が最小限になるような運転領域でのみモータジェネレータ２０による発電を行わせる。従って、当該発電に伴う燃料消費量の増加を可及的に少なく抑えることができるという利点がある。
【００６１】
ここで、図８（ａ）〜（ｆ）は、上記車両の一定時間（距離）走行時の、車速（ａ）、エンジン回転速度（ｂ）、発電量（マイナスは消費量）（ｃ）、キャパシタ電力（ｄ）、アシストトルク（ｅ）およびモータジェネレータ２０の発電仕事量（ｆ）の変化をそれぞれ示した図（グラフ）である。同図（ｄ）、（ｆ）中、実線は上記実施形態の車両を、破線はモータジェネレータを備える従来のこの種の車両（比較例の車両）を示している。同図（ｄ）に示すように、上記実施形態の車両によれば、特に、キャパシタ２４の電力が電圧値Ｖ１（＝２４Ｖ）以上である状態では、積極的にエンジン出力がアシストされることで、キャパシタ２４の電力が有効活用されており、また、キャパシタ２４が満充電状態になる頻度（期間）が比較例の車両に比べて少なくなっていることが分かる。そしてその結果、同図（ｆ）に示すように、上記実施形態の車両では、トータル的なモータジェネレータ２０の発電仕事量（積算値）が比較例の車両に比べて増加していること、すなわち、車両の減速エネルギーがより無駄なく（より多く）回収されていることが分かる。
【００６２】
従って、上記実施形態の車両によれば、減速エネルギーをより無駄なく回収しながら、モータジェネレータ２０によりエンジン出力を合理的にアシストすることができる。
【００６３】
ところで、上述した車両は、本発明にかかるエンジンアシスト制御装置が搭載された車両の例示であって、車両の具体的な構成やエンジンアシスト制御装置の具体的な構成は、本発明の要旨を逸脱しない範囲で適宜変更可能である。例えば、以下のような変形例も考えられる。
【００６４】
上記実施形態の積極アシスト制御処理では、ステップＳ２５の処理でＮＯの場合、すなわち、ＥＣＵ３０が、ステップＳ２１で求めた目標トルクよりもモータジェネレータ２０によるアシストトルクが大きいと判断した場合には、エンジン１０のみで車両を駆動させているが（ステップＳ３５〜Ｓ３９）、勿論、モータジェネレータ２０単独で車両を駆動させるようにしてもよい。
【００６５】
また、上記実施形態の最適アシスト制御処理では、ステップＳ４１で求めた目標トルクのうち、ＢＳＦＣの最小値トルクを超過するトルク（全部）をモータジェネレータ２０でアシストするようにしているが（ステップＳ４５）、予めアシストするトルク値を定めておき、目標トルクのうち、ＢＳＦＣの最小値トルクを超過するトルクの一部をモータジェネレータ２０でアシストするようにしてもよい。換言すれば、エンジン１０の正味燃料消費率が所定値以下となるように、モータジェネレータ２０のアシストトルクを設定するようにしてもよい。この場合、複数のトルク値を定めておき、ＢＳＦＣの最小値トルクを超過するトルクの大きさに応じてアシストするトルクの割合を変更するようにしてもよい。
【００６６】
また、上記実施形態の電力消費抑制制御では、目標トルクに対応するＢＳＦＣ微分値が、予め定められた比較値Ｂｄ以下の場合（ステップＳ６３でＹＥＳ）にモータジェネレータ２０よる発電を実施しているが、発電を行う運転領域はこれに限定されない。ＢＳＦＣの最小値トルクより低トルク側の運転領域でればよい。これは、上記の通り、ＢＳＦＣの最小値トルクより低トルク側の運転領域は、これより高トルク側の運転領域より単位トルク当たりの燃料消費量が少ない傾向にあるため（図７参照）、当該高トルク側の運転領域で発電を行う場合に比べ、発電に伴う燃料消費量の増大を効果的に抑制できるためである。
【００６７】
また、上記実施形態では、キャパシタ２４の充電状態に応じて、上記積極アシスト制御、最適アシスト制御および電力消費抑制制御を選択的に実行しているが、例えばキャパシタ２４の容量に十分余裕がある場合などには、電力消費抑制制御を省略し、積極アシスト制御と最適アシスト制御とを選択的に実行するようにしてもよい。
【００６８】
また、上記実施形態では、モータジェネレータ２０で発電された電力を蓄える蓄電手段として電気二重層キャパシタ（ＥＤＬＣ）を用いたが、蓄電手段としては、繰り返し充放電可能なものであればよく、必ずしも電気二重層キャパシタに限られない。
【００６９】
例えば、電気二重層キャパシタ以外の蓄電手段として、リチイムイオンキャパシタを用いることができる。なお、リチウムイオンキャパシタとは、リチウムイオンを電気化学的に吸蔵可能な炭素系材料（リチイムイオン電池の負極と同じ材料）を負極として用いることでエネルギー密度をさらに向上させたものである。このような構成のリチウムイオンキャパシタは、キャパシタとして一般的な電気二重層キャパシタとは異なり、正極と負極とで充放電の原理が異なる（化学反応を併用する）ことから、ハイブリッドキャパシタとも呼ばれる。このリチウムイオンキャパシタを一例とするハイブリッドキャパシタ、および上記電気二重層キャパシタのいずれについても、エネルギー密度が高く、しかもリニアな充放電特性をもつので、本発明にかかる蓄電手段として好適に用いることができる。
【符号の説明】
【００７０】
１０  エンジン
１２  出力軸
２０  モータジェネレータ
２２  インバータ
２３  インバータ制御部
２４  キャパシタ
２６  ＤＣ／ＤＣコンバータ
２８  バッテリ
３０  ＥＣＵ
３１  キャパシタ電圧センサ
３２  アクセル開度センサ
３３  エンジン速度センサ
【図１】
2014065399.tif 000003
【図２】
2014065399.tif 000004
【図３】
2014065399.tif 000005
【図４】
2014065399.tif 000006
【図５】
2014065399.tif 000007
【図６】
2014065399.tif 000008
【図７】
2014065399.tif 000009
【図８】
2014065399.tif 000010